(57)【要約】【課題】室内機において冷媒ガスが漏れた場合に、その漏れた冷媒ガスが室内空間のある部分に局所的に滞留する。【解決手段】本発明の空気調和機は、吹出口を有する室内機と、室内機に接続される室外機とを備え、可燃性冷媒または微燃性冷媒が使用される空気調和機であって、室内機に配置される冷媒ガス検出センサを有しており、冷媒ガス検出センサにより冷媒ガスが検出されたときに、空気調和機の冷房定格能力に応じて予め決められた最低風速以上の風速の風が吹出口から吹き出されるように制御される。【選択図】図８
2016109356.tif 000002
【特許請求の範囲】
【請求項１】
吹出口を有する室内機と、前記室内機に接続される室外機とを備え、可燃性冷媒または微燃性冷媒が使用される空気調和機であって、
前記室内機に配置される冷媒ガス検出センサを有しており、
前記冷媒ガス検出センサにより冷媒ガスが検出されたときに、当該空気調和機の冷房定格能力に応じて予め決められた最低風速以上の風速の風が前記吹出口から吹き出されるように制御されることを特徴とする空気調和機。
【請求項２】
前記可燃性冷媒または微燃性冷媒は、Ｒ３２、Ｒ３２を６５wt％以上含む混合冷媒及びＨＦＯ系混合冷媒のいずれかであることを特徴とする請求項１に記載の空気調和機。
【請求項３】
前記冷媒ガス検出センサにより冷媒ガスが検出されたときの前記室内機の前記吹出口における風向は、上吹き出し、下吹き出し、上下吹き出し、及び、左右吹き出しの少なくとも１つである特徴とする請求項１または２に記載の空気調和機。
【請求項４】
前記室内機は、前記冷媒ガス検出センサにより冷媒ガスが検出されたときの前記吹出口における風向として、上吹き出し、下吹き出し、上下吹き出し、及び、左右吹き出しの少なくとも２つを取り得るものであって、
前記最低風速は、前記吹出口における風向ごとに予め決められていることを特徴とする請求項３に記載の空気調和機。
【請求項５】
前記室内機は、床置き型の室内機であることを特徴とする請求項１−４のいずれかに記載の空気調和機。
【発明の詳細な説明】
【技術分野】
【０００１】
本発明は、例えば可燃性冷媒が使用される空気調和機に関する。
【背景技術】
【０００２】
従来から、可燃性冷媒が使用される空気調和機において、空気調和機の室内機に冷媒ガス検出センサが取り付けられたものが知られている。
【先行技術文献】
【特許文献】
【０００３】
【特許文献１】特開２０１２−１３３４８号公報
【発明の概要】
【発明が解決しようとする課題】
【０００４】
従来の空気調和機の室内機において冷媒ガスが漏れた場合、その漏れた冷媒ガスが室内空間のある部分に局所的に滞留する問題がある。したがって、空気調和機には、室内機が運転されてない状態において、冷媒ガス検出センサにより冷媒ガスが検出されたときに、室内機の吹出口から風を吹き出すようにして、漏れた冷媒ガスが室内空間のある部分に局所的に滞留するのを抑制するものがある。しかし、従来の空気調和機では、冷媒ガス検出センサにより冷媒ガスが検出されたときの吹出口における風量が決められているが、例えば室内機が設置される部屋の広さが広い場合、室内機の吹出口から風を吹き出すようにしても、室内機の吹出口から吹き出される風の風速が遅く、冷媒ガスが室内空間のある部分に局所的に滞留するのを十分に抑制できない問題がある。
【０００５】
そこで、本発明の目的は、室内機において冷媒ガスが漏れた場合に、その漏れた冷媒ガスが室内空間のある部分に局所的に滞留するのを十分に防止できる空気調和機を提供することである。
【課題を解決するための手段】
【０００６】
第１の発明にかかる空気調和機は、吹出口を有する室内機と、前記室内機に接続される室外機とを備え、可燃性冷媒または微燃性冷媒が使用される空気調和機であって、前記室内機に配置される冷媒ガス検出センサを有しており、前記冷媒ガス検出センサにより冷媒ガスが検出されたときに、当該空気調和機の冷房定格能力に応じて予め決められた最低風速以上の風速の風が前記吹出口から吹き出されるように制御されることを特徴とする。
【０００７】
この空気調和機では、冷媒ガス検出センサにより冷媒ガスが検出されたときに、当該空気調和機の冷房定格能力に応じて予め決められた最低風速以上の風速の風が吹出口から吹き出されるので、室内機において冷媒ガスが漏れたときに、冷媒ガスが室内空間のある部分に局所的に滞留するのを十分に防止できる。
【０００８】
第２の発明にかかる空気調和機は、第１の発明にかかる空気調和機において、前記可燃性冷媒または微燃性冷媒は、Ｒ３２、Ｒ３２を６５wt％以上含む混合冷媒及びＨＦＯ系混合冷媒のいずれかであることを特徴とする。
【０００９】
第３の発明にかかる空気調和機は、第１または第２の発明にかかる空気調和機において、前記冷媒ガス検出センサにより冷媒ガスが検出されたときの前記室内機の前記吹出口における風向は、上吹き出し、下吹き出し、上下吹き出し、及び、左右吹き出しの少なくとも１つである特徴とする。
【００１０】
第４の発明にかかる空気調和機は、第３の発明にかかる空気調和機において、前記室内機は、前記冷媒ガス検出センサにより冷媒ガスが検出されたときの前記吹出口における風向として、上吹き出し、下吹き出し、上下吹き出し、及び、左右吹き出しの少なくとも２つを取り得るものであって、前記最低風速は、前記吹出口における風向ごとに予め決められていることを特徴とする。
【００１１】
この空気調和機では、冷媒ガス検出センサにより冷媒ガスが検出されたときの吹出口における最低風速が、吹出口から吹き出される風向ごとに予め決められているので、室内機において冷媒ガスが漏れたときに、冷媒ガスが室内空間のある部分に局所的に滞留するのを効果的に防止できる。
【００１２】
第５の発明にかかる空気調和機は、第１−第４の発明のいずれかにかかる空気調和機において、前記室内機は、床置き型の室内機であることを特徴とする。
【００１３】
この空気調和機は、冷媒ガスが室内空間の床付近に局所的に滞留するのを防止できる床置き型の室内機を有している。
【発明の効果】
【００１４】
以上の説明に述べたように、本発明によれば、以下の効果が得られる。
【００１５】
第１―第５の発明では、冷媒ガス検出センサにより冷媒ガスが検出されたときに、当該空気調和機の冷房定格能力に応じて予め決められた最低風速以上の風速の風が吹出口から吹き出されるので、室内機において冷媒ガスが漏れたときに、冷媒ガスが室内空間のある部分に局所的に滞留するのを十分に防止できる。
【図面の簡単な説明】
【００１６】
【図１】本発明の実施の形態にかかる空気調和機の冷媒回路を示す回路図である。
【図２】図１に示す室内機の斜視図である。
【図３】室内機の正面図である。
【図４】図３に示すIV-IV線断面図である。
【図５】室内機から前面パネルを取り外したときの斜視図である。
【図６】室内機の制御ブロックを示す図である。
【図７】冷媒ガス検出センサにより冷媒ガスが検出されたときの吹出口から吹き出される風の風向を説明する図である。
【図８】冷媒ガスが漏れたときに室内空間の空気が攪拌されるかについての評価結果を示す図である。
【発明を実施するための形態】
【００１７】
以下、図面を参照しつつ本発明に係る空気調和機の実施の形態について説明する。
【００１８】
［空気調和機の全体構成］
図１に示すように、本実施形態の空気調和機は、圧縮機１と、圧縮機１の吐出側が一端に接続された四路切換弁２と、四路切換弁２の他端に一端が接続された室外熱交換器３と、室外熱交換器３の他端に一端が接続された電動膨張弁４と、電動膨張弁４の他端に閉鎖弁１２、連絡配管Ｌ１を介して一端が接続された室内熱交換器５と、室内熱交換器５の他端に閉鎖弁１３、連絡配管Ｌ２、四路切換弁２を介して一端が接続され、他端が圧縮機１の吸入側に接続されたアキュムレータ６とを備えている。上記の圧縮機１、四路切換弁２、室外熱交換器３、電動膨張弁４、室内熱交換器５およびアキュムレータ６で冷媒回路が構成されている。
【００１９】
また、この空気調和機は、室外熱交換器３の近傍に配置された室外ファン７と、室内熱交換器５の近傍に配置された室内ファン８とを備えている。上記の圧縮機１、四路切換弁２、室外熱交換器３、電動膨張弁４、アキュムレータ６、及び室外ファン７は、室外機１０に配置され、室内熱交換器５、及び室内ファン８は、室内機２０に配置されている。
【００２０】
この空気調和機では、暖房運転時、四路切換弁２を実線の切換え位置に切り換えて、圧縮機１を起動すると、圧縮機１から吐出された高圧冷媒が四路切換弁２を通って室内熱交換器５に入る。そして、室内熱交換器５で凝縮した冷媒は、電動膨張弁４で減圧された後に室外熱交換器３に入る。室外熱交換器３で蒸発した冷媒が四路切換弁２およびアキュムレータ６を介して圧縮機１の吸入側に戻る。こうして、圧縮機１、室内熱交換器５、電動膨張弁４、室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００２１】
これに対して、冷房運転時（除湿運転時を含む）は、四路切換弁２を点線の切換え位置に切り換えて、圧縮機１を起動すると、圧縮機１から吐出された高圧冷媒が四路切換弁２を通って室外熱交換器３に入る。そして、室外熱交換器３で凝縮した冷媒は、電動膨張弁４で減圧された後に室内熱交換器５に入る。室内熱交換器５で蒸発した冷媒が四路切換弁２およびアキュムレータ６を介して圧縮機１の吸入側に戻る。こうして、圧縮機１、室外熱交換器３、電動膨張弁４、室内熱交換器５およびアキュムレータ６の順に冷媒が循環する冷凍サイクルを実行する。そして、室内ファン８により室内熱交換器５を介して室内空気を循環させることにより室内を冷房する。
【００２２】
この空気調和機では、可燃性冷媒が使用される。本発明において「可燃性冷媒」とは、可燃性冷媒のほか微燃性冷媒を含む。この空気調和機では、例えば微燃性冷媒であるＲ３２、Ｒ３２を６５wt％以上含む混合冷媒、または、ＨＦＯ系混合冷媒が使用されるが、例えばＲ２９０が用いられてもよい。また、この空気調和機では、空気よりも比重が大きい冷媒が使用される。
【００２３】
［室内機］
図２−図５に示すように、室内機２０は、床置き型の室内機であって、室内の壁面に後面側が取り付けられる略長方形状の底フレーム２１と、底フレーム２１の前面側に取り付けられ、前面に略長方形状の開口部２２ｄを有する前面グリル２２と、前面グリル２２の開口部２２ｄを覆うように取り付けられた前面パネル２３とを備えている。この底フレーム２１、前面グリル２２及び前面パネル２３により、ケーシング２０ａが形成されている。
【００２４】
前面グリル２２の上部には、上側吹出口２２ａが設けられ、前面グリル２２の下部には、下側吹出口２２ｂが設けられている。上側吹出口２２ａに連通する上側吹き出し通路Ｐ１には、上下方向について上側吹出口２２ａから吹き出される空気流の風向を変更する上下フラップ２４と、左右方向について上側吹出口２２ａから吹き出される空気流の風向を変更する左右フラップ２５とが設けられている。上下フラップ２４には、フラップモータ２４ａ（図６参照）が接続されており、左右フラップ２５には、フラップモータ２５ａ（図６参照）が接続されている。上下フラップ２４は、フラップモータ２４ａの駆動により、水平方向に沿った回転軸の周りを回動可能である。この上下フラップ２４は、冷房運転および暖房運転時には、図４に示す上下風向制御範囲において回動して、上側吹出口２２ａから冷風または温風を前方かつ斜め上方に吹き出す。また、運転停止時は、図２に示すように、上側吹出口２２ａを閉じる。左右フラップ２５は、フラップモータ２５ａの駆動により、左右方向に搖動可能である。この左右フラップ２５は、冷房運転および暖房運転時には、左右風向制御範囲において搖動することにより、上側吹出口２２ａから冷風または温風を吹き出す方向を変えることができる。本実施形態の空気調和機の室内機２０では、上側吹出口２２ａにおける左右風向としては、正面方向、左方向、右方向、左右方向のいずれかに切り換え可能に構成される。
【００２５】
一方、下側吹出口２２ｂに連通する下側吹き出し通路Ｐ２内には、下側吹出口２２ｂを開閉するシャッター３０と、左右方向について下側吹出口２２ｂから吹き出される空気流の風向を変更する左右フラップ３１が配置されている。シャッター３０には、シャッターモータ３０ｂが接続されている。シャッター３０は、シャッターモータ３０ｂの駆動により、図４に示すように、水平方向に沿った軸３０ａを中心に回動する。このシャッター３０は、一点鎖線で示すＡの位置で停止して、下側吹出口２２ｂを開き、一点鎖線で示すＢの位置で停止して、下側吹出口２２ｂを閉じる。なお、左右フラップ３１は、手動でフラップの向きが調整されるものである。本実施形態の空気調和機の室内機２０では、下側吹出口２２ｂにおける左右風向としては、正面方向、左方向、右方向、左右方向のいずれかに切り換え可能に構成される。
【００２６】
前面パネル２３の左右の側面には、側方吹出口２２ｃ（図２では右側のみを示す）が設けられている。側方吹出口２２ｃに連通する側方吹き出し通路内には、側方吹出口２２ｃを開閉するシャッター（図示しない）が配置されている。また、上記前面パネル２３の上側には、上側吸込口２３ａが設けられ、前面パネル２３の下側には、下側吸込口２３ｂが設けられている。
【００２７】
図４に示すように、底フレーム２１の略中央には、ファンモータ２６が固定されている。このファンモータ２６の軸が接続された室内ファン８が、軸が前後方向になるように底フレーム２１に配置されている。室内ファン８は、前面側から吸い込んだ空気を軸に対して半径方向外側に吹き出すターボファンである。また、底フレーム２１は、室内ファン８の前面側に形成されたベルマウス２７を有している。そして、ベルマウス２７の前面側に室内熱交換器５が配置され、その室内熱交換器５の前面側に前面グリル２２が取り付けられる。また、その前面グリル２２のさらに前面側に前面パネル２３が取り付けられる。前面グリル２２の開口部２２ｃには、フィルタが取り付けられている。
【００２８】
この空気調和機では、運転が開始されると、ファンモータ２６が駆動して、室内ファン８が回転する。そして、室内ファン８の回転によって、上側吸込口２３ａ及び下側吸込口２３ｂから室内機２０の内部に室内空気が吸い込まれて、室内機２０の内部に吸い込まれた室内空気は、室内熱交換器５で熱交換された後、上側吹出口２２ａ、下側吹出口２２ｂ、側方吹出口２２ｃの少なくとも１つから室内に吹き出される。なお、本実施形態の空気調和機の室内機２０では、下側吹き出し通路Ｐ２内のシャッター３０によって下側吹出口２２ｂを開閉可能であり、側方吹き出し通路内のシャッターによって側方吹出口２２ｃを開閉可能である。
【００２９】
図５に示すように、室内熱交換器５の下方には、室内熱交換器５で生じた空気中からの凝縮水を受け取って排水するためのドレンパン２８が配置されている。また、室内熱交換器５の右外側（長手方向外側）、かつ上方には、電装品箱５０が配置されている。電装品箱５０の下方には、冷媒ガス検出センサ９が着脱可能に取り付けられている。この冷媒ガス検出センサ９は、室内熱交換器５及びドレンパン２８の右外側（長手方向外側）に配置される。
【００３０】
この空気調和機では、万一、室内熱交換器５内の冷媒配管が破損するなどして、冷媒ガスが漏洩した場合、空気より比重の大きい冷媒ガスは下方に流れて、ドレンパン２８に達する。ドレンパン２８に達した冷媒ガスは、ドレンパン２８の左端側から右端側に向かって流れるため、ドレンパン２８に達した冷媒ガスは、長手方向について冷媒ガス検出センサ９側において、ドレンパン２８から溢れやすい。溢れた冷媒ガスは、室内機２０の底に滞留し、室内機２０から外部に漏洩する。
【００３１】
（電装品箱）
電装品箱５０には、制御部５１が収納されており、空気調和機の冷暖房運転等に必要な各構成部品の制御を行う。この制御部５１には、図６に示すように、ファンモータ２６、冷媒ガス検出センサ９、フラップモータ２４ａ、フラップモータ２５ａ、シャッターモータ３０ｂが接続されており、室内ファン８、上下フラップ２４、シャッター３０の制御を行ったり、冷媒ガス検出センサ９で検出された冷媒ガスの検出結果に基づいて、冷媒漏れの有無を判断したりする。
【００３２】
（冷媒ガス検出センサ）
冷媒ガス検出センサ９は、漏洩した冷媒ガスを検出するセンサであり、図５に示すように、ドレンパン２８と同じ高さ又はドレンパン２８より下方に配置されている。また、ドレンパン２８の右外側（長手方向外側）かつドレンパン２８及び室内熱交換器５よりも奥（後方）に配置されている。
【００３３】
本実施形態の空気調和機の室内機２０は、吹出口から吹き出される風の風向として、上吹き出し、下吹き出し、上下吹き出し、及び、左右吹き出しのいずれかを取り得る。図７（ａ）−（ｃ）は、吹出口から吹き出される風の風向を示しており、左側には、室内機の側面図を使用して上下風向を示し、右側には、室内機の上面図を使用して左右風向を示している。上側吹出口２２ａからの吹き出し方向は、水平方向より上方に２０−７０°の方向であって、下側吹出口２２ｂからの吹き出し方向は、略水平方向である。図７（ｄ）は、吹出口から吹き出される風の風向を示しており、左側には、室内機の正面図を使用して左右風向を示し、右側には、室内機の上面図を使用して左右風向を示している。
＜上吹き出し＞：図７（ａ）に示すように、上側吹出口２２ａから正面方向に吹き出し、且つ、下側吹出口２２ｂ及び側方吹出口２２ｃから吹き出さない状態である。
＜下吹き出し＞：図７（ｂ）に示すように、上側吹出口２２ａ及び側方吹出口２２ｃから吹き出さない、且つ、下側吹出口２２ｂから正面方向に吹き出す状態である。
＜上下吹き出し＞：図７（ｃ）に示すように、上側吹出口２２ａから正面方向に吹き出し、且つ、下側吹出口２２ｂから正面方向に吹き出し、側方吹出口２２ｃから吹き出さない状態である。
＜左右吹き出し＞：図７（ｄ）に示すように、上側吹出口２２ａ及び下側吹出口２２ｂから吹き出さない、且つ、側方吹出口２２ｃから前方斜め方向に吹き出す状態である。
【００３４】
吹出口から吹き出される風の風速（m／sec）は、室内ファンの回転数に基づいて室内風量が導出されることから、その風量を吹出口の面積（吹出面積）によって除算することによって算出される。吹出口の面積は、上吹き出しでは、上側吹出口２２ａの面積であり、下吹き出しでは、下側吹出口２２ｂの面積であり、上下吹き出しでは、上側吹出口２２ａの面積と下側吹出口２２ｂの面積の合計であり、左右吹き出しでは、側方吹出口２２ｃの面積である。
【００３５】
本実施形態では、室内機２０において、冷媒ガス検出センサ９が冷媒ガスを検出したときに、吹出口から吹き出される風の風速（m／sec）を、どの程度の大きさにすると、室内機２０が設置された室内空間の空気が十分に攪拌されるかについての評価を行った。評価としては、室内機２０が設置される室内の広さ（畳数）と、室外機１０と室内機２０とを有する空気調和機の冷房定格能力（kW）とを種々変化させるとともに、吹出口から吹き出される風の風向を変化させることにより、それぞれの状態において、室内機２０が設置された室内空間の空気が十分に攪拌されるかを評価した。室内機２０が設置された室内空間の空気が十分に攪拌されるかは、室内空間に冷媒ガスが局所的に滞留した可燃領域が発生したか否かに基づいて判断した。具体的には、冷媒濃度が「R290」の場合は５％以上、「R32」及び「R32を65%以上含む混合冷媒」の場合は10%〜30%の領域を可燃領域とする。本実施形態では、室内空間の換気条件は、天井までの高さ2.4m 、ドアの幅900mm、ドアの上隙間3mm  or下隙間3mmありの状態とし、冷媒ガスの漏えい速度は、１０−２０kg/hrとして評価を行った。
【００３６】
図８は、それぞれの状態において、室内機２０が設置された室内空間の空気が十分に攪拌されるかの評価結果を示している。図８において、室内空間の空気が十分に攪拌された場合を、○とし、室内空間が十分に攪拌されなかった場合を、×としている。図８の評価結果について、例えば、室内の広さが１８畳、空気調和機の冷房定格能力（kW）が５．６kWであって、吹出口から吹き出される風の風向が上吹き出しである場合の評価について、詳しく説明する。このとき、上側吹出口２２ａから吹き出される風の風速が２．５m／secの状態では、室内空間が十分に攪拌されなかったのに対し、上側吹出口２２ａから吹き出される風の風速が３．０m／secの状態では、室内空間の空気が十分に攪拌されたことを示している。したがって、この状態では、上側吹出口２２ａから吹き出される風の風速が３．０m／sec以上の状態では、室内空間の空気が十分に攪拌されることが分かる。これは、図８のその他の状態においても同様であって、図８の評価結果から、それぞれの室内の広さ、空気調和機の冷房定格能力、吹出口から吹き出される風の風向において、室内空間の空気が十分に攪拌された評価が得られた風速（最低風速）以上の状態では、室内空間の空気が十分に攪拌されることが分かる。図８の評価結果では、室内空間の空気が十分に攪拌された評価が得られた風速（最低風速）の最小値は、室内の広さが６畳以下、空気調和機の冷房定格能力（kW）が２．２kWであって、吹出口から吹き出される風の風向が左右吹き出しである状態における０．８m／secである。
【００３７】
本発明において、例えば、室内の広さが１８畳用の機種（空気調和機の冷房定格能力が５．６kW）であって、冷媒ガス検出センサ９により冷媒ガスが検出されたときに、上吹き出しによって室内空間の空気が攪拌される空気調和機では、上側吹出口２２ａから吹き出される風の風速を、最低風速である３．０m／sec以上にすればよく、下吹き出しによって室内空間の空気が攪拌される空気調和機では、下側吹出口２２ｂから吹き出される風の風速を、最低風速である２．７m／sec以上にすればよく、上下吹き出しによって室内空間の空気が攪拌される空気調和機では、上側吹出口２２ａと下側吹出口２２ｂから吹き出される風の風速を、最低風速である２．５m／sec以上にすればよく、左右吹き出しによって室内空間の空気が攪拌される空気調和機では、上側吹出口２２ａから吹き出される風の風速を、最低風速である２．２m／sec以上にすればよい。
【００３８】
例えば、室内の広さが１０畳用、１２畳用、１４畳用、１６畳用、１８畳用の共通の機種として設計された空気調和機については、室内の広さに応じて、空気調和機の冷房定格能力（kW）を変更するために、圧縮機周波数が変更されることがある。具体的には、例えば冷房定格能力（kW）に対応した圧縮機周波数が、機種ごとに、異なる周波数が決められる。この空気調和機では、冷媒ガス検出センサ９により冷媒ガスが検出されたときに、吹出口から吹き出される風の風量を一定に決められることがあり、上下吹き出しによって室内空間の空気が攪拌される空気調和機では、上側吹出口２２ａと下側吹出口２２ｂから吹き出される風の風速を、室内の広さが１８畳用（空気調和機の冷房定格能力が５．６kW）の上下吹き出しの最低風速である２．５m／sec以上にすれば、１０畳用、１２畳用、１４畳用、１６畳用の機種として使用されたときでも、それぞれの上下吹き出しの最低風速以上になる。したがって、この空気調和機では、冷媒ガス検出センサ９により冷媒ガスが検出されたときの吹出口から吹き出される風の風速を２．５m／sec以上にすればよいが、室内空間の空気が十分に攪拌されるように、最低風速より大きい風速にされる方がよい。例えば、最低風速が２．５m／secである場合、冷媒ガス検出センサ９により冷媒ガスが検出されたときの吹出口から吹き出される風の風速を４．４m／sec程度にすることが考えられる。
【００３９】
［本実施形態の空気調和機の特徴］
本実施形態の空気調和機には、以下の特徴がある。
【００４０】
本実施形態の空気調和機では、冷媒ガス検出センサ９により冷媒ガスが検出されたときに、空気調和機の冷房定格能力に応じて予め決められた最低風速以上の風速の風が吹出口から吹き出されるので、室内機２０において冷媒ガスが漏れたときに、冷媒ガスが室内空間のある部分に局所的に滞留するのを十分に防止できる。
【００４１】
本実施形態の空気調和機では、冷媒ガス検出センサ９により冷媒ガスが検出されたときの吹出口における最低風速が、吹出口から吹き出される風向ごとに予め決められているので、室内機２０において冷媒ガスが漏れたときに、冷媒ガスが室内空間のある部分に局所的に滞留するのを効果的に防止できる。
【００４２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４３】
上記実施形態では、冷媒ガス検出センサにより冷媒ガスが検出されたときの吹出口から吹き出される風の風向として、上吹き出し、下吹き出し、上下吹き出し、及び、左右吹き出しのいずれかを取り得る室内機について説明したが、上吹き出し、下吹き出し、上下吹き出し、及び、左右吹き出しの少なくとも１つを取り得る室内機において、本発明の効果が得られる。したがって、上側吹出口だけを有する室内機であってよいし、下側吹出口だけを有する室内機であってよいし、上側吹出口及び下側吹出口だけを有する室内機であってよいし、側方吹出口だけを有する室内機であってよい。
【産業上の利用可能性】
【００４４】
本発明を利用すれば、漏れた冷媒ガスが室内空間のある部分に局所的に滞留するのを防止できる。
【符号の説明】
【００４５】
９  冷媒ガス検出センサ
１０  室外機
２０  室内機
２０ａ  ケーシング
２２ａ  上側吹出口（吹出口）
２２ｂ  下側吹出口（吹出口）
２２ｃ  側方吹出口（吹出口）
【図３】
2016109356.tif 000003
【図５】
2016109356.tif 000004
【図１】
2016109356.tif 000005
【図２】
2016109356.tif 000006
【図４】
2016109356.tif 000007
【図６】
2016109356.tif 000008
【図７】
2016109356.tif 000009
【図８】
2016109356.tif 000010